(57)【要約】【課題】蛍光灯の発光制御を向上させた蛍光灯電流制限始動電子安定器を提供する。【解決手段】  蛍光灯電流制限始動電子安定器は整流回路１、フィルタ回路２、発振回路３、高周波パルストランス４、チョークコイル５、電流制限回路７からなり、電流制限回路７は直列接続した電流制限抵抗Ｒ１を具え、両端に制御可能ダイオードを並列接続し、高周波パルストランス４でこれを触発し、点灯するときに電流制限して始動し、蛍光灯管６が始動して発光するときに高周波パルストランス４が高周波パルス電圧を発生して制御可能ダイオードを導通させ、電圧が全部導通して蛍光灯管６を発光させる。【選択図】  図１
0003118458.tif 000002
【実用新案登録請求の範囲】
【請求項１】
整流回路、フィルタ回路、発振回路、高周波パルストランス、チョークコイル、電流制限回路からなる蛍光灯電流制限始動電子安定器であって、
前記整流回路は、数個のダイオードを具え、交流電源を直流電源に変換し、
前記フィルタ回路は、2個の直列接続したコンデンサを具え、直流電源中のノイズを除去し、
前記発振回路は、2個のトランジスタとバイアス抵抗を具えるようにして成り、各トランジスタは前記フィルタ回路のコンデンサとそれぞれ並列接続し、並びにそれぞれ前記高周波パルストランスに接続し、前記2個のトランジスタが交替に導通、非導通を呈することによって、高周波発振の発生が得られ、直流電流が高周波効果を具えるようにし、
前記高周波パルストランスは、前記発振回路、前記チョークコイル、蛍光灯管に接続し、パルス波効果を生じることができ、これにより前記発振回路が産出した高周波電流を高周波パルスにし、前記チョークコイルを経て前記蛍光灯管に必要な高周波電圧を提供することができ、
前記電流制限回路は、単方向制御可能ダイオードＳＣＲ、電流制限抵抗を具えるようにして成り、これを前記フィルタ回路のコンデンサ、前記高周波パルストランスに接続し、前記電流制限抵抗は電流を制限して小電流で前記フィルタ回路のコンデンサに充電し、前記高周波パルストランスの高周波発振信号により前記単方向制御可能ダイオードＳＣＲが触発されて導通し、瞬間的な過大電流によるコンデンサの損壊をなくし、過大電流による回路短絡・故障を防止する効果を達成できるようにして成ることを特徴とする蛍光灯電流制限始動電子安定器。
【請求項２】
前記電流制限回路は、双方向制御可能ダイオードＴＲＩＡＣを採用して導通を制御することができるようにして成ることを特徴とする請求項１記載の蛍光灯電流制限始動電子安定器。
【考案の詳細な説明】
【技術分野】
【０００１】
本考案は蛍光灯電流制限始動電子安定器に関し、電源に電流制限抵抗を直列接続し、電流制限抵抗の両端に制御可能ダイオードを並列接続し、パルストランスでこれを触発し、点灯時に電流制限して始動し、蛍光灯管が始動するときにパルストランスが高周波パルス電圧を発生し、制御可能ダイオードを導通させることによって、電圧を全て蛍光灯管に導通させて発光させ、始動の瞬間の過大電流、始動困難、故障を防止し、実用的な効果を達成する蛍光灯電流制限始動電子安定器に関する。
【背景技術】
【０００２】
公知の蛍光灯電子安定器は、ほとんどが整流回路、フィルタコンデンサ、パルストランス、チョークコイルで構成され、整流回路が交流を直流に転換し、これをコンデンサに充電してフィルタリングを行ってから、パルストランスに提供して蛍光灯管を発光させる。これには以下の欠点が存在する。
１．始動時に急速にフィルタコンデンサに充電が起こり、電流が大きすぎる。
２．瞬間的停電の後すぐ電気が流れると、始動電流が大きすぎ、フィルタコンデンサに突入電流が生じ、故障発生の原因となる。
３．始動時に急速にフィルタコンデンサに充電され、電圧が高すぎ、始動電流が大きすぎるため、蛍光灯管に一定の破壊作用があり、両端が黒変しやすく蛍光灯管の寿命が大幅に短縮する。
４．出力または回路短絡時に保護作用がなく、危険が発生しやすい。
【特許文献１】特開２００１−１５５８８９号公報
【考案の開示】
【考案が解決しようとする課題】
【０００３】
公知技術の欠点を解決し、始動の瞬間の過大電流、始動困難、故障発生を防ぐことができる蛍光灯電流制限始動電子安定器を提供することを課題とする。
【課題を解決するための手段】
【０００４】
上述の課題を解決するために、本考案は、以下の特徴を有する蛍光灯電流制限始動電子安定器を提供する。
１．請求項１に記載の蛍光灯電流制限始動電子安定器は、整流回路、フィルタ回路、発振回路、高周波パルストランス、チョークコイル、電流制限回路からなる蛍光灯電流制限始動電子安定器であって、前記整流回路は、数個のダイオードを具え、交流電源を直流電源に変換し、前記フィルタ回路は、2個の直列接続したコンデンサを具え、直流電源中のノイズを除去し、前記発振回路は、2個のトランジスタとバイアス抵抗を具えるようにして成り、各トランジスタは前記フィルタ回路のコンデンサとそれぞれ並列接続し、並びにそれぞれ前記高周波パルストランスに接続し、前記2個のトランジスタが交替に導通、非導通を呈することによって、高周波発振の発生が得られ、直流電流が高周波効果を具えるようにし、前記高周波パルストランスは、前記発振回路、前記チョークコイル、蛍光灯管に接続し、パルス波効果を生じることができ、これにより前記発振回路が産出した高周波電流を高周波パルスにし、前記チョークコイルを経て前記蛍光灯管に必要な高周波電圧を提供することができ、前記電流制限回路は、単方向制御可能ダイオードＳＣＲ、電流制限抵抗を具えるようにして成り、これを前記フィルタ回路のコンデンサ、前記高周波パルストランスに接続し、前記電流制限抵抗は電流を制限して小電流で前記フィルタ回路のコンデンサに充電し、前記高周波パルストランスの高周波発振信号により前記単方向制御可能ダイオードＳＣＲが触発されて導通し、瞬間的な過大電流によるコンデンサの損壊をなくし、過大電流による回路短絡・故障を防止する効果を達成できるようにして成ることを特徴とする。
２．請求項２に記載の蛍光灯電流制限始動電子安定器は、請求項１の場合において、前記電流制限回路は、双方向制御可能ダイオードＴＲＩＡＣを採用して導通を制御することができるようにして成ることを特徴とする。
【考案の効果】
【０００５】
本考案の制御により、以下の効果、長所が得られる。
１．始動が容易：本考案は電流制限始動であり、電流はナノ・アンペア以下に制御され、容易に始動できる。
２．蛍光灯管６の寿命延長：電流制限回路７の電流制限抵抗Ｒ１により瞬間起動電流を減少させ、瞬間大電流の蛍光灯管６への損壊を減少し、使用寿命を延長できる。
３．以上電流による損壊防止：回路の短絡、蛍光灯管６の故障による短絡が起きた場合、または回路故障の場合に、ＳＣＲを発振させて非導通にせず、電流制限抵抗に制限されて小電流状態を呈し、大電流による損害を防止できる。
４．フリッカレス：発振回路３、高周波パルストランス４により高周波パルスを蛍光灯管６に提供して発光させ、この高周波パルスの発光作用は、人間の目にちらつきを感じさせないため、目を保護することができる。
【考案を実施するための最良の形態】
【０００６】
図１に示すように、交流電源２２０Ｖに使用し、蛍光灯管６が４Ｗ−４０Ｗを呈する（または交流電源１１０Ｖ蛍光灯管４Ｗ−２０Ｗを呈する）時、４個のダイオードＤ１、Ｄ２、Ｄ３、Ｄ４を採用してブリッジ型整流回路１を構成する。つまり「全波整流」を呈する。よって、電流制限回路７の駆動ダイオードには単方向制御可能ダイオードＳＣＲを採用することができる。蛍光灯管６を発光させたい場合には、電気は整流回路１から直流に整流され、電流制限回路７を経てからフィルタ回路２のコンデンサC２、C３に充電される。容量飽和すると発振回路３のトランジスタＴＲ１、ＴＲ２が導通されて発振が発生し、高周波を生じる。更に高周波パルストランス４が高周波パルスを発生し、且つ電流制限回路７の単方向制御可能ダイオードＳＣＲも導通させ、正常に電力供給して蛍光灯管６を発光させることができる。
【０００７】
特に説明すると、本考案の電流制限回路７は、単方向制御可能ダイオードＳＣＲ及び電流制限抵抗Ｒ１を設けたことにより、高周波パルストランスにより高周波パルス電圧を生じてＳＣＲを導通させることができ、電流制限抵抗Ｒ１を設けているため電流値が大きくなり過ぎないよう制御できる。つまり、小電流でフィルタ回路２のコンデンサＣ２、Ｃ３に充電できる。例を挙げると、電流制限抵抗Ｒ１を４７ＫΩ、電圧２２０Ｖ、電流値は２２０Ｖ÷４７ＫΩ＝０．００５Ａとなる。この電流０．００５Ａが通過できる最大電流である。よって、電源の瞬間起動は０．００５Ａの小電流に制限されて蛍光灯６を駆動する。
【０００８】
また、本考案は交流１１０Ｖ、４０Ｗ及び３０Ｗ蛍光灯管６にも使用でき、図２に示すように、１１０Ｖ、４０Ｗ（３０Ｗ）の蛍光灯管６は「倍圧」でないと発光しないため、整流回路１０は２個のダイオードＤ１、Ｄ２で整流するようにし、倍圧の直流を得られるようにし、電流制限回路７０は双方向制御可能ダイオードＴＲＩＡＣを採用し且つ電流制限抵抗Ｒ１も具えるようにする。上述のようにすると１１０Ｖ、４０Ｗ（３０Ｗ）蛍光灯管にも制御発光の効果が得られ、且つ電流を制限して小電流で起動発振後、導通して回路出力短絡保護の効果も得られる。
【図面の簡単な説明】
【０００９】
【図１】本考案の構造の回路図である。
【図２】本考案を１１０Ｖ４０Ｗ、３０Ｗに応用した実施例構造の回路図である。
【符号の説明】
【００１０】
１、１０  整流回路
２  フィルタ回路
３  発振回路
４  高周波パルストランス
５  チョークコイル
６  蛍光灯管
７、７０  電流制限回路
Ｄ１、Ｄ２、Ｄ３、Ｄ４  ダイオード
Ｃ２、Ｃ３  コンデンサ
Ｒ１  電流制限抵抗
Ｒ２、Ｒ３、Ｒ４  バイアス抵抗
ＴＲ１、ＴＲ２  トランジスタ
ＳＣＲ  単方向制御可能ダイオード
ＴＲＩＡＣ  双方向制御可能ダイオード
【図１】
0003118458.tif 000003
【図２】
0003118458.tif 000004